(57)【要約】      （修正有）【課題】手で泡立てる必要がない泡だし機能付き押下ヘッドを提供する。【解決手段】液体物を入れるための容器に取り付けて使用する押下ヘッドである。押下ヘッドの液体吐出管部１５内に設けられている縮径口３０付きの負圧吸引力発生キット２０により、液体吐出管部に吸い込まれた液体物は、液体吐出管部の案内口を経て負圧吸引力発生キットの縮径口に集まり、且つ縮径口から吐き出される。この場合、液体物が流れる速度が増加し、圧力が低下するので、周辺に負圧吸引力を生成する。液体吐出管部に空気導入口５０が設けられており、液体物が縮径口から吐き出され、負圧吸引力が発生する時に、液体吐出管部外の空気が空気導入口から液体吐出管部内に入るので、空気と液体物とを混合させて、液体吐出管部から泡状態になった液体物を吐き出すことができる。【選択図】図２
0003186960.tif 000002
【実用新案登録請求の範囲】
【請求項１】
液体物を入れるための容器Ａに設けられる押下ヘッドであり、
該押下ヘッドは、ヘッド本体１０と、負圧吸引力発生キット２０と、縮径口３０と、少なくとも１つの空気導入口５０とを含み、
前記ヘッド本体１０は、バルブ１１付きのステム１２と、ステム１２の上方に装着された押下部１３と、ステム１２の下方に装着された液体吸入部１４とで構成され、前記押下部１３は、案内口１３１Ａ、１３１Ｂ付きの液体吐出管部１５を備え、押下部１３を押し続けると、バルブ１１により、容器Ａ内の液体物が液体吸入部１４に吸入されると共に、バルブ１１内に蓄積される液体物が液体吐出管部１５に輸送され、
前記負圧吸引力発生キット２０は、環状体で、液体吐出管部１５内の所定の位置に設けられており、
前記縮径口３０は、軸方向に沿って前記負圧吸引力発生キット２０に連結されており、液体吐出管部１５まで吸い込まれた液体物が、案内口１３１Ａ、１３１Ｂを経て、負圧吸引力発生キットの縮径口３０に集まり、且つ、縮径口３０により外に吐き出される時、液体物が流れる速度が増加し、圧力が低減するので、周辺に負圧吸引力を発生させ、
前記少なくとも１つの空気導入口５０は、液体吐出管部１５の所定の位置に形成され、且つ、負圧吸引力発生キット２０の縮径口３０の反対側に設けられており、液体物が縮径口３０から吐き出され、負圧吸引力が発生する時、液体吐出管部１５外の空気が空気導入口５０から液体吐出管部１５内に入るので、空気と液体物とを混合させて、液体吐出管部から泡状態になった液体物を吐き出すことを特徴とする泡だし機能付き押下ヘッド。
【請求項２】
前記液体吐出管部１５内には、ガイドポスト１５１が設けられ、前記案内口１３１Ｂは、該ガイドポスト１５１と液体吐出管部１５の内壁との間に設けられ、前記負圧吸引力発生キット２０は、該ガイドポスト１５１外と間隔をあける箇所に位置するように、液体吐出管部１５内に嵌め込まれていることを特徴とする請求項１に記載の泡だし機能付き押下ヘッド。
【請求項３】
前記負圧吸引力発生キット２０の内側面には、プリセット案内壁４１が形成され、前記ガイドポスト１５１の外周を前記案内壁４１に取り付けることにより、液体吐出管部１５に吸い込まれた液体物の流れをガイドし、
前記負圧吸引力発生キット２０に近接する縮径口３０の端壁には、プリセット案内槽４２が形成され、前記案内槽４２は、液体物が縮径口３０に集まるようにガイドすることを特徴とする請求項２に記載の泡だし機能付き押下ヘッド。
【請求項４】
前記液体吐出管部１５は、押下部１３から延伸して突出した導出管１６と、導出管１６に係合される付属管１７を備えており、前記ガイドポスト１５１は、前記付属管１７の内部に設けられ、空気導入口５０は、付属管１７の外周に設けられており、
前記導出管１６の外周と付属管１７の内側とが対向する位置には、係合部１８が設けられ、且つ前記係合部１８により、負圧吸引力発生キット２０が取り付けられる前記付属管１７を前記導出管１６に係合することを特徴とする請求項２または３に記載の泡だし機能付き押下ヘッド。
【考案の詳細な説明】
【技術分野】
【０００１】
本考案は、押下ヘッドに関わり、特に、泡だし機能を有する新規な押下ヘッドに関する。
【背景技術】
【０００２】
日常生活で、瓶やボトルなどを、クリーム状のハンドソープやシャンプなどを入れる容器として利用することをよく見られる。これらの容器は、液漏れが発生することを防ぐため、開口にキャップを取り付けなければならない。それと共に、容器内の液体を容易に取り出すため、通常容器の開口に押下ヘッドを取り付けて使用する。該押下ヘッドにより、使用者が該キャップを開閉しなくても、該ヘッドを押すことにより、容器内の液体を取り出すことができる。
【０００３】
常用する従来の押下ヘッドは、通常、押下ヘッドのステム内に設けられるバルブにより、液体を取り出す。即ち、従来の押下ヘッドは、泡を立てる付属機能を有していないので、押下ヘッドから取り出した液体を均一で、なめらかな泡状態にするため、使用者は両手で液体を揉んで（シャンプの場合）空気と混合させなければならない。前述した通り、従来の押下ヘッドの機能は、多様な使用ニーズを満たすことができず、使用上の利便性や実用性も理想的な状態に至っていない。様々な押下ヘッド製品と競争するため、新規な押下ヘッド構造を有し、且つ競争力を向上させることができる押下ヘッドを開発するのを目標としなければならない。
【０００４】
それに鑑みて、本考案者は、関連製品の製造及び開発などを長期間行ってきた経験に基づいて、上述した問題を解決することを目標として、実用性が高い本考案の押下ヘッドを発明した。
【考案の概要】
【考案が解決しようとする課題】
【０００５】
本考案は、泡だし機能付き押下ヘッドを提供することを目的とする。即ち、解決しようとする課題は、従来の押下ヘッドに存在する問題点を改良することにある。
【課題を解決するための手段】
【０００６】
本考案は、液体物を入れるための容器に取り付けて使用する押下ヘッドである。本考案の押下ヘッドは、ヘッド本体と、負圧吸引力発生キットと、縮径口と、少なくとも１つの空気導入口とを含む。ヘッド本体は、バルブ付きのステムと、ステムの上方に装着された押下部と、ステムの下方に装着された液体吸入部を備える。該押下部は、案内口付きの液体吐出管部を備える。押下部を押し続けると、バルブにより、容器内の液体物が液体吸入部に吸入され、且つバルブ内に蓄積される液体物が液体吐出管部に輸送される。負圧吸引力発生キットは、環状体で、液体吐出管部内の所定の位置に設けられている。縮径口は、軸方向に沿って該負圧吸引力発生キットに連結されている。液体吐出管部に吸い込まれた液体物が、案内口を経て、負圧吸引力発生キットの縮径口に集まり、且つ縮径口から外に吐き出される時、液体物の流れる速度が増加し、圧力が低下するので、周辺に負圧吸引力が発生する。少なくとも１つの空気導入口は、液体吐出管部の所定の位置に形成され、且つ負圧吸引力発生キットの縮径口の反対側に設けられている。液体物が縮径口から吐き出され、負圧吸引力が発生する時、液体吐出管部外の空気が空気導入口から液体吐出管部内に入るので、空気と液体物とを混合させて、液体吐出管部から泡状態になった液体物を吐き出すことができる。
【考案の効果】
【０００７】
上述した新規な構造により、本考案は、液体物を吐き出す機能を有する従来の機能を有しているだけではなく、泡を生成する機能も有しているため、使用者が該押下部を押すことにのみより、泡状態になった液体物を吐き出することができる。従来の技術の押下ヘッドと比較して見ると、本考案の押下ヘッドにより吐き出された液体物は、手を揉んで泡を立てる必要がないので、液体物の泡をより均一、なめらかにすると共に、利用しやすくなる。即ち、使用上の利便性や実用性を大幅に向上させることにより、使用者の多様なニーズなどを満足させることができるので、種々の様々な実用的な効果を奏することができる。
【図面の簡単な説明】
【０００８】
【図１】本考案の押下ヘッドを容器に取り付けたことを示す図である。
【図２】本考案の押下ヘッドを示す平面図である。
【図３】本考案の押下ヘッドの構造を示す斜視分解図である。
【図４】本考案の押下ヘッドの１つの組合せ形態を示す立体図である。
【図５】本考案の押下ヘッドの１つの組合せ形態を示す平面図である。
【図６】本考案の負圧吸引力発生キットとガイドポストとが組合せされた構造を示す局所拡大図である。
【図７】本考案の押下ヘッドが泡を立てることを示すである。
【図８】本考案の他の実施例に係る負圧吸引力発生キットを示す立体図である。
【考案を実施するための形態】
【０００９】
図１〜図７は、本考案の好適な実施例に係る泡だし機能付き押下ヘッドを示す図である。これらの実施例は、本考案を説明するためのものであるが、本考案がこれらの構造にのみ制限されるものではない。本考案の押下ヘッドは、液体物（例えば、ハンドクリーム、シャワーソープ、シャンプなど）を入れるための容器Ａに取り付けて使用する。該押下ヘッドは、ヘッド本体１０と、負圧吸引力発生キット２０と、縮径口３０と、少なくとも１つの空気導入口５０とを含む。
【００１０】
前記ヘッド本体１０は、中にバルブ１１が収納されているステム１２と、ステム１２の上方に装着された押下部１３と、ステム１２の下方に装着された液体吸入部１４とで構成された。該液体吸入部１４を使用する時、通常下側に吸引管を取り付けて使用する（例えば、図１の符合０５が示す通りである）。該押下部１３は、案内口１３１Ａ、１３１Ｂを具備する液体吐出管部１５を備える。押下部１３を押し続けると、バルブ１１により、容器Ａ内の液体物が液体吸入部１４から吸入されると共に、バルブ１１内に蓄積される液体物が液体吐出管部１５側へ輸送される。前述した技術、即ち、バルブ１１により液体物を輸送する技術は、当業者が周知している従来の技術であるので、ここでは再び説明しない。該案内口１３１Ａは、図２に示すように、直接に液体吐出管部１５内に形成するか、或いは図３、図４に示すように、該液体吐出管部１５内にガイドポスト１５１を形成することにより、該案内口１３１Ｂを該ガイドポスト１５１と液体吐出管部１５の内壁との間に設けてもよいが、本考案がこのような技術に限定されるものではない。
【００１１】
負圧吸引力発生キット２０は、環状体で、液体吐出管部１５内の所定の位置に設けられている。
【００１２】
縮径口３０は、該負圧吸引力発生キット２０の軸方向に沿って負圧吸引力発生キット２０に連結されている。これにより、液体吐出管部１５に吸い込まれた液体物（図７の矢印Ｌ１）は、案内口１３１Ｂを経て、負圧吸引力発生キット２０の縮径口３０に集まり、且つ、縮径口３０から外に吐き出される。この場合、液体物が流れる速度が増加し、圧力が低下するので、周辺に負圧吸引力を発生させる。
【００１３】
少なくとも１つの空気導入口５０は、液体吐出管部１５の所定の位置に形成され、且つ負圧吸引力発生キット２０の縮径口３０の反対側に位置している。液体物が縮径口３０から吐き出され、負圧吸引力が発生する時、液体吐出管部１５外の空気が（図７の矢印Ｌ２）空気導入口５０から液体吐出管部１５内に入るので、空気と液体物とが混合され、液体吐出管部１５から泡状態になった液体物を吐き出す（図７の矢印Ｌ３）することができる。
【００１４】
上述した構造設計により、本考案は、液体物を吐き出す機能を有する従来の機能を有しているだけではなく、泡を生成する機能を有しているため、使用者が該押下部１３を押すことにのみより、泡状態になった液体物を吐き出させることができる。従来の技術の押下ヘッドと比較して見ると、本考案の押下ヘッドにより吐き出された液体物は、手を揉んで泡を立てる必要がないので、液体物の泡をより均一、なめらかにすると共に、利用しやすくなる。即ち、使用上の利便性や実用性を大幅に向上させることにより、使用者の多様なニーズなどを満足させることができるので、種々の様々な実用的な効果を奏することができる。
【００１５】
以下、図４〜図６を参照しながら本考案の具体的な実施例を説明する。本考案の具体的な実施例において、該負圧吸引力発生キット２０は、該ガイドポスト１５１外と間隔をあける箇所に位置するように、液体吐出管部１５内に嵌め込まれている。液体吐出管部１５まで輸送された液体物は、案内口１３１Ｂを通過した後、ガイドポスト１５１に沿って、負圧吸引力発生キット２０内へと入る。且つ、縮径口３０に集まった液体物は、縮径口３０から外に吐き出される。
【００１６】
図３〜図６に示すように、該液体吐出管部１５は、押下部１３から延伸して突出した導出管１６と、導出管１６に係合されている付属管１７とを備える。該ガイドポスト１５１は、該付属管１７の内部に取り付けられ、空気導入口５０は、付属管１７の外周に設けられている。該導出管１６の外周と付属管１７の内側とが対向する位置には、係合部１８が設けられている。それにより、負圧吸引力発生キット２０が取り付けられている該付属管１７を該導出管１６に係合することができる。
【００１７】
図８に示すように、該負圧吸引力発生キット２０の内側面には、プリセット案内壁４１が形成されている。該ガイドポスト１５１の外周を該案内壁４１に取り付けるにより、液体吐出管部１５に吸い込まれた液体物の流れをガイドすることができる。該負圧吸引力発生キット２０に近接する縮径口３０の端壁には、プリセット案内槽４２が形成されている。該案内槽４２は、液体物が縮径口３０に集まるようにガイドする。本実施例に掲示された案内槽４２は、縮径口３０を軸として放射形状に形成され、該案内壁４１は、扁平断面形状に形成されているが、本考案がこのような形状にのみ限定されるものではない。
【００１８】
本考案による考案の効果を次の通り説明する。本考案に掲示されている「泡だし機能付き押下ヘッド」は、主に該液体吐出管部内の負圧吸引力発生キットと空気導入口との組合せにより、液体物を負圧吸引力発生キットの縮径口から吐き出すと共に、液体吐出管部外の空気を空気導入口から液体吐出管部内に吸入して、空気と液体物を混合させる。これにより、液体吐出管部から泡状態になった液体物を吐き出すことができる。本考案と背景技術を比較して見ると、本考案は、液体物を汲み取る機能を有すると共に、泡を生成する機能を有しているので、使用者が該押下部を押すことだけで、泡状態になった液体物を吐き出すことができる。即ち、使用者が手を揉んで泡を立てる必要がないので、使用上の利便性を向上させることができる。また、該液体吐出管部内にガイドポストが配置されていることにより、液体吐出管部まで吸い込まれた液体物がガイドポストに沿って流れるようにガイドすることができる。また、使用上の利便性や実用性が大幅に向上させると共に、使用者の多様なニーズなどを満足させることができるので、種々の実用的な効果を奏することができる。
【００１９】
上述した実施例に掲示されたのは、本考案を具体的に説明するために用いられた内容であり、文の中で、専門の用語で説明してきたが、それを以て、本考案の実用新案登録請求の範囲を制限してはならないとし、この技術分野の分かる者は、本考案のコンセプトや考えを理解したうえ、それらの変更や改造を行って、それと同等な効果を得たとしても、それらの変更や改造はすべて、後述の実用新案登録請求の範囲に含まれるものとする。
【符号の説明】
【００２０】
１０  ヘッド本体
１１  バルブ
１２  ステム
１３  押下部
１３１Ａ、１３１Ｂ案内口
１４  液体吸入部
１５  液体吐出管部
１５１  ガイドポスト
１６  導出管
１７  付属管
１８  係合部
２０  負圧吸引力発生キット
３０  縮径口
４１  案内壁
４２  案内槽
５０  空気導入口
Ａ  容器
【図１】
0003186960.tif 000003
【図２】
0003186960.tif 000004
【図３】
0003186960.tif 000005
【図４】
0003186960.tif 000006
【図５】
0003186960.tif 000007
【図６】
0003186960.tif 000008
【図７】
0003186960.tif 000009
【図８】
0003186960.tif 000010